【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
ウェアラブル電気刺激器をユーザの頭部または頭頸部上に支持するための電極装置であって、
上面および下面を有する第一の電極部分と；
上面および下面を有する第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
2インチよりも長い経路長によって該第一および第二の電極部分を接続する可撓性の細長い部材と； 
ウェアラブル電気刺激器に結合するように構成されている第一のコネクタおよび第二のコネクタであって、該第一および第二のコネクタは、該第一の電極部分の該上面から突き出て延びかつ約0.7〜0.8インチ離間し、ここで、第一のコネクタが該第一の活性領域と電気的に連絡し、かつ第二のコネクタが該第二の活性領域と電気的に連絡する、第一のコネクタおよび第二のコネクタと
を含む、装置。
【請求項２】
ウェアラブル電気刺激器をユーザの頭部または頭頸部上に支持するための電極装置であって、
上面および下面を有する第一の電極部分と；
上面および下面を有する第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
2インチよりも長い経路長によって該第一および第二の電極部分を接続する可撓性の細長い部材と；
ウェアラブル電気刺激器に機械的かつ電気的に結合するように構成されている第一のスナップコネクタおよび第二のスナップコネクタであって、該第一および第二のスナップコネクタは、該第一の電極部分の該上面から突き出て延びかつ約0.7〜0.8インチ離間し、ここで、第一のコネクタが該第一の活性領域と電気的に連絡し、かつ該可撓性の細長い部材に沿って延びる電気トレースを介して第二のコネクタが該第二の活性領域と電気的に連絡する、第一のスナップコネクタおよび第二のスナップコネクタと
を含む、装置。
【請求項３】
ウェアラブル電気刺激器をユーザの頭部または頭頸部上に支持するための電極装置であって、
平面に延び、面外に撓むことができる基材と；
上面および下面を有する該基材の第一の電極部分と；
上面および下面を有する該基材の第二の電極部分であって、該第一および第二の電極部分が、2インチよりも長い経路長を有する該基材の接続領域によって接続されている、第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と； 
ウェアラブル電気刺激器に結合するように構成されている第一のコネクタおよび第二のコネクタであって、該第一および第二のコネクタは、該第一の電極部分の該上面から突き出て延びかつ約0.7〜0.8インチ離間し、ここで、第一のコネクタが該第一の活性領域と電気的に連絡し、かつ基材の該接続領域上の電気トレースを介して第二のコネクタが該第二の活性領域と電気的に連絡する、第一のコネクタおよび第二のコネクタと
を含む、装置。
【請求項４】
第一および第二のコネクタが、電気刺激器を装置に機械的に固定するように構成されている、請求項1または3記載の装置。
【請求項５】
第一および第二のコネクタがスナップコネクタである、請求項1または3記載の装置。
【請求項６】
第一の電極部分の下面上および第二の電極部分の下面上に、装置をユーザの皮膚に固定するように構成された接着剤をさらに含む、請求項1、2または3記載の装置。
【請求項７】
第一および第二のコネクタが、第一の電極部分の上面から延び、かつ該第一の電極部分に対して偏心的である、請求項1、2または3記載の装置。
【請求項８】
前記基材がフレックス回路材料を含む、請求項3記載の装置。
【請求項９】
第一の電極部分がトライアングロイドである、請求項1、2または3記載の装置。
【請求項１０】
第一の活性領域が第一の電極部分の第一の縁から該第一の電極部分の下面を横切って該第一の電極部分の第二の縁まで延びる、請求項1、2または3記載の装置。
【請求項１１】
前記接続領域の経路長が第一および第二の電極部分の間に延びるときに曲がっている、請求項3記載の装置。
【請求項１２】
前記可撓性の細長い部材がワイヤを含む、請求項1または2記載の装置。
【請求項１３】
前記可撓性の細長い部材が、第一の方向には可撓性であるが、該第一の方向に対して垂直な方向には可撓性ではない平面基材を含む、請求項1または2記載の装置。
【請求項１４】
約4mm未満の厚さを有し、第一および第二のコネクタを除き実質的に平坦である、請求項3記載の電極装置。
【請求項１５】
ウェアラブル電気刺激器をユーザの頭部または頭頸部上に支持するための電極装置であって、
上面および下面を有する第一の電極部分と；
上面および下面を有する第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
2インチよりも長い経路長によって該第一および第二の電極部分を接続する接続領域を形成する平面基材であって、面外に撓むことができる、平面基材と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域と電気的に連絡し、かつ第二のコネクタが該第二の活性領域と電気的に連絡する、第一のコネクタおよび第二のコネクタと
を含む、装置。
【請求項１６】
ウェアラブル電気刺激器をユーザの頭部または頭頸部上に支持するための電極装置であって、
上面および下面を有する第一の電極部分と；
上面および下面を有する第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
2インチよりも長い経路長によって該第一および第二の電極部分を接続する接続領域を形成する平面基材であって、厚さ4mm以下であり、かつ面外に撓むことができる、平面基材と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域と電気的に連絡し、かつ基材の該接続領域上の電気トレースを介して第二のコネクタが該第二の活性領域と電気的に連絡する、第一のコネクタおよび第二のコネクタと
を含む、装置。
【請求項１７】
ウェアラブル電気刺激器をユーザの頭部または頭頸部上に支持するための電極装置であって、
平面に延び、面外に撓むことができる基材と；
上面および下面を有する該基材の第一の電極部分と；
上面および下面を有する該基材の第二の電極部分であって、該第一および第二の電極部分が、2インチよりも長い経路長を有する該基材の接続領域によって隔てられている、第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域と電気的に連絡し、かつ基材の該接続領域に沿って延びる電気トレースを介して第二のコネクタが該第二の活性領域と電気的に連絡する、第一のコネクタおよび第二のコネクタと
を含む、装置。
【請求項１８】
第一および第二のコネクタが、電気刺激器を装置に機械的に固定するように構成されている、請求項15、16または17記載の装置。
【請求項１９】
第一および第二のコネクタがスナップコネクタである、請求項15、16または17記載の装置。
【請求項２０】
第一の電極部分の下面上および第二の電極部分の下面上に、装置をユーザの皮膚に固定するように構成された接着剤をさらに含む、請求項15、16または17記載の装置。
【請求項２１】
第一および第二のコネクタが、第一の電極部分の上面から延び、かつ該第一の電極部分に対して偏心的である、請求項15、16または17記載の装置。
【請求項２２】
基材がフレックス回路材料を含む、請求項15、16または17記載の装置。
【請求項２３】
第一の電極部分がトライアングロイドである、請求項15、16または17記載の装置。
【請求項２４】
第一の活性領域が第一の電極部分の第一の縁から該第一の電極部分の下面を横切って該第一の電極部分の第二の縁まで延びる、請求項15、16または17記載の装置。
【請求項２５】
前記接続領域の経路長が第一および第二の電極部分の間に延びるときに曲がっている、請求項15、16または17記載の装置。
【請求項２６】
約4mm未満の厚さを有し、第一および第二のコネクタを除き実質的に平坦である、請求項15、16または17記載の電極装置。
【請求項２７】
ウェアラブル電気刺激器をユーザの頭部または頭頸部上に支持するための電極装置であって、
上面および下面を有する第一の電極部分と；
上面および下面を有する第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
2インチよりも長い経路長によって該第一および第二の電極部分を接続する可撓性の細長い部材と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域と電気的に連絡し、かつ第二のコネクタが該第二の活性領域と電気的に連絡する、第一のコネクタおよび第二のコネクタと；
該第一のコネクタを該第二のコネクタに電気的に接続する容量素子であって、ウェアラブル電気刺激器によって該コネクタの間に印加される電流のための高域フィルタとして働くように構成されている、容量素子と
を含む、装置。
【請求項２８】
ウェアラブル電気刺激器をユーザの頭部または頭頸部上に支持するための電極装置であって、
上面および下面を有する第一の電極部分と；
上面および下面を有する第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
2インチよりも長い経路長によって該第一および第二の電極部分を接続する可撓性の細長い部材と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域と電気的に連絡し、かつ第二のコネクタが該第二の活性領域と電気的に連絡する、第一のコネクタおよび第二のコネクタと；
該第一のコネクタを該第二のコネクタに電気的に接続する容量素子であって、低い周波数よりも高い周波数でより低いインピーダンスを有して、該コネクタの間に印加される周波数のための高域フィルタとして働くように構成されている、容量素子と
を含む、装置。
【請求項２９】
前記容量素子がコンデンサを含む、請求項27または28記載の装置。
【請求項３０】
前記容量素子が、約1pF〜500pFの値を有するコンデンサを含む、請求項27または28記載の装置。
【請求項３１】
前記容量素子が、約1MHz未満のカットオフ周波数を有する高域フィルタとして働く、請求項27または28記載の装置。
【請求項３２】
前記容量素子がRC回路を含む、請求項27または28記載の装置。
【請求項３３】
平面に延び、面外に撓むことができる平坦な基材をさらに含み、かつ第一の電極部分が該基材の第一の部分で形成され、かつ第二の電極部分が該基材の第二の部分で形成されている、請求項27または28記載の装置。
【請求項３４】
平面に延びる平坦な基材をさらに含み、該基材が、4mm以下である厚さを有しかつ面外に撓むことができ、第一の電極が該基材の第一の部分で形成され、かつ第二の電極部分が該基材の第二の部分で形成されている、請求項27または28記載の装置。
【請求項３５】
平面に延びる平坦な基材をさらに含み、該基材が面外に撓むことができ、かつ第一の電極部分が該基材の第一の部分で形成され、かつ第二の電極部分が該基材の第二の部分で形成され、ここで、容量素子が該基材に結合されている、請求項27または28記載の装置。
【請求項３６】
ウェアラブル電気刺激器をユーザの頭部または頭頸部上に支持するための電極装置であって、
上面および下面を有する第一の電極部分と；
上面および下面を有する第二の電極部分と；
ユーザの皮膚にエネルギーを送達するように構成された、該第一の電極部分の該下面上の第一の活性領域であって、該第一の活性領域は、第一の導電層、該第一の導電層を覆う弱導電層、該弱導電層を覆う導電性犠牲層、および該犠牲層を覆うヒドロゲルを含み、該弱導電層が、該第一の導電層および該犠牲層よりも高い抵抗率を有する、第一の活性領域と；
ユーザの皮膚にエネルギーを送達するように構成された、該第二の電極部分の該下面上の第二の活性領域と；
該第一および第二の電極部分を接続する可撓性部材と；
ウェアラブル電気刺激器に結合するように構成されている第一のコネクタおよび第二のコネクタであって、第一のコネクタが該第一の活性領域と電気的に連絡し、かつ第二のコネクタが該第二の活性領域と電気的に連絡する、第一のコネクタおよび第二のコネクタと
を含む、装置。
【請求項３７】
ウェアラブル電気刺激器をユーザの頭部または頭頸部上に支持するための電極装置であって、
上面および下面を有する第一の電極部分と；
上面および下面を有する第二の電極部分と；
ユーザの皮膚にエネルギーを送達するように構成された、該第一の電極部分の該下面上の第一の活性領域であって、該第一の活性領域は、第一の導電層、該第一の導電層を覆う弱導電層、該弱導電層を覆う導電性犠牲層および該犠牲層を覆うヒドロゲルを含み、該弱導電層が、該第一の導電層および該犠牲層よりも高い抵抗率を有する、第一の活性領域と；
ユーザの皮膚にエネルギーを送達するように構成された、該第二の電極部分の該下面上の第二の活性領域と；
2インチよりも長い経路長によって該第一および第二の電極部分を接続する可撓性の細長い部材と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域と電気的に連絡し、かつ第二のコネクタが該第二の活性領域と電気的に連絡する、第一のコネクタおよび第二のコネクタと
を含む、装置。
【請求項３８】
ウェアラブル電気刺激器をユーザの頭部または頭頸部上に支持するための電極装置であって、
上面および下面を有する第一の電極部分と；
上面および下面を有する第二の電極部分と；
ユーザの皮膚にエネルギーを送達するように構成された、該第一の電極部分の該下面上の第一の活性領域であって、該第一の活性領域は、第一の導電性Ag層、該第一の導電層を覆う炭素を含む弱導電層、該弱導電層を覆うAg/AgClの導電性犠牲層、および該犠牲層を覆うヒドロゲルを含み、該弱導電層が、該第一の導電層および該犠牲層よりも高い抵抗率を有する、第一の活性領域と；
ユーザの皮膚にエネルギーを送達するように構成された、該第二の電極部分の該下面上の第二の活性領域と；
2インチよりも長い経路長によって該第一および第二の電極部分を接続する可撓性の細長い部材と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域の該Ag層と電気的に連絡し、かつ第二のコネクタが該第二の活性領域と電気的に連絡する、第一のコネクタおよび第二のコネクタと
を含む、装置。
【請求項３９】
第一および第二のコネクタがそれぞれ第一の電極部分の上面から突き出て延びる、請求項36、37または38記載の装置。
【請求項４０】
第二の活性領域が、第二の導電層、該第二の導電層を覆う第二の弱導電層、該第二の弱導電層を覆う第二の導電性犠牲層、および該第二の犠牲層を覆う第二のヒドロゲルを含み、該第二の弱導電層が、第一の導電層および該犠牲層よりも低い導電率を有する、請求項36、37または38記載の装置。
【請求項４１】
第一の導電層がAg層を含む、請求項36または37記載の装置。
【請求項４２】
前記弱導電層が炭素を含む、請求項36または37記載の装置。
【請求項４３】
前記導電性犠牲層がAg/AgClを含む、請求項36または37記載の装置。
【請求項４４】
前記弱導電層の抵抗率が第一の導電層の抵抗率の5倍よりも大きい、請求項36、37または38記載の装置。
【請求項４５】
ウェアラブル電気刺激器をユーザの頭部または頭頸部上に支持するためのカンチレバー式電極装置であって、
背面側とは反対側の前面側を有する可撓性ボディと；
該ボディの第一の端部領域の第一の電極部分と；
ユーザの皮膚にエネルギーを送達するように構成されている、該第一の電極部分の背面側の第一の活性領域と；
該第一の電極部分の前面側から突き出て延び、該第一の活性領域と電気的に連絡する第一のコネクタと；
該第一の電極部分の前面側から突き出て延びる第二のコネクタと；
該第一の電極部分から少なくとも2インチ離間している、該ボディの第二の端部領域の第二の電極部分と；
該第二のコネクタと電気的に連絡し、かつユーザの皮膚にエネルギーを送達するように構成されている、第二の電極部分の背面側の第二の活性領域と
を含み、該第一および第二のコネクタが、該装置を該電気刺激器に電気的に接続するように構成されている、装置。
【請求項４６】
ウェアラブル電気刺激器をユーザの頭部または頭頸部上に支持するためのカンチレバー式電極装置であって、
前面側および背面側を有する第一の電極部分と；
ユーザの皮膚にエネルギーを送達するように構成されている、背面側の第一の活性領域と；
前面側から突き出て延び、該第一の活性領域と電気的に連絡する第一のコネクタと；
前面側から突き出て延びる第二のコネクタであって、該第一および第二のコネクタが中心間で約0.7〜約0.8インチ離間している、第二のコネクタと；
該第一の電極部分と第二の電極部分との間を少なくとも2インチ延びている細長いボディ領域によって、該第一の電極部分から隔てられている第二の電極部分と；
該第二のコネクタと電気的に連絡し、ユーザの皮膚にエネルギーを送達するように構成されている、第二の電極部分の前面側の第二の活性領域と
を含む、装置。
【請求項４７】
ウェアラブル電気刺激器をユーザの頭部または頭頸部上に支持するためのカンチレバー式電極装置であって、
平面に延びかつ前面側および背面側を有する平坦な基材であって、面外に撓むことができる基材と；
長さ2インチ以上である経路に延びる該基材の接続領域によって隔てられている、該基材の第一の電極部分および該基材の第二の電極部分と；
ユーザの皮膚にエネルギーを送達するように構成されている、該第一の電極部分の背面側の第一の活性領域および該第二の電極部分の背面側の第二の活性領域と； 
それぞれ該第一の電極部分の前面側から突き出て延びる第一および第二のコネクタであって、第一のコネクタが該第一の活性領域と電気的に連絡し、かつ第一および第二のコネクタが約0.7〜約0.8インチ離間している、第一および第二のコネクタと
を含み、該第一および第二のコネクタが、該装置を該電気刺激器に電気的に接続するように構成されている、装置。
【請求項４８】
ウェアラブル電気刺激器をユーザの頭部または頭頸部上に支持するためのカンチレバー式電極装置であって、
平面に延びかつ前面側および背面側を有する平坦な基材であって、面外に撓むことができ、かつ4mm以下の厚さを有する、基材と；
長さ2インチ以上である曲げ経路に延びる該基材の接続領域によって隔てられている、該基材の第一の電極部分および該基材の第二の電極部分と；
ユーザの皮膚にエネルギーを送達するように構成されている、該第一の電極部分の背面側の第一の活性領域および該第二の電極部分の背面側の第二の活性領域と； 
それぞれ該第一の電極部分の前面側から突き出て延びる第一のコネクタおよび第二のコネクタであって、第一のコネクタが該第一の活性領域と電気的に連絡し、かつ第二のコネクタが該第二の活性領域と電気的に連絡し、第一および第二のコネクタが約0.7〜約0.8インチ離間している、第一および第二のコネクタと
を含み、該第一および第二のコネクタが、該第一の電極部分の一つの側に偏心的に配置され、かつ該装置を該電気刺激器に機械的かつ電気的に接続するように構成されている、装置。
【手続補正２】
【補正対象書類名】明細書
【補正対象項目名】００４２
【補正方法】変更
【補正の内容】
【００４２】
方法はまた、第一の活性領域の背面側をウェアラブル電気刺激器の下面側に接着的に固定する工程を含み得る。
[本発明1001]
ウェアラブル電気刺激器をユーザの頭部または頭頸部上に支持するための電極装置であって、
上面および下面を有する第一の電極部分と；
上面および下面を有する第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
2インチよりも長い経路長によって該第一および第二の電極部分を接続する可撓性の細長い部材と； 
ウェアラブル電気刺激器に結合するように構成されている第一のコネクタおよび第二のコネクタであって、該第一および第二のコネクタは、該第一の電極部分の該上面から突き出て延びかつ約0.7〜0.8インチ離間し、ここで、第一のコネクタが該第一の活性領域と電気的に連絡し、かつ第二のコネクタが該第二の活性領域と電気的に連絡する、第一のコネクタおよび第二のコネクタと
を含む、装置。
[本発明1002]
ウェアラブル電気刺激器をユーザの頭部または頭頸部上に支持するための電極装置であって、
上面および下面を有する第一の電極部分と；
上面および下面を有する第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
2インチよりも長い経路長によって該第一および第二の電極部分を接続する可撓性の細長い部材と；
ウェアラブル電気刺激器に機械的かつ電気的に結合するように構成されている第一のスナップコネクタおよび第二のスナップコネクタであって、該第一および第二のスナップコネクタは、該第一の電極部分の該上面から突き出て延びかつ約0.7〜0.8インチ離間し、ここで、第一のコネクタが該第一の活性領域と電気的に連絡し、かつ該可撓性の細長い部材に沿って延びる電気トレースを介して第二のコネクタが該第二の活性領域と電気的に連絡する、第一のスナップコネクタおよび第二のスナップコネクタと
を含む、装置。
[本発明1003]
ウェアラブル電気刺激器をユーザの頭部または頭頸部上に支持するための電極装置であって、
平面に延び、面外に撓むことができる基材と；
上面および下面を有する該基材の第一の電極部分と；
上面および下面を有する該基材の第二の電極部分であって、該第一および第二の電極部分が、2インチよりも長い経路長を有する該基材の接続領域によって接続されている、第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と； 
ウェアラブル電気刺激器に結合するように構成されている第一のコネクタおよび第二のコネクタであって、該第一および第二のコネクタは、該第一の電極部分の該上面から突き出て延びかつ約0.7〜0.8インチ離間し、ここで、第一のコネクタが該第一の活性領域と電気的に連絡し、かつ基材の該接続領域上の電気トレースを介して第二のコネクタが該第二の活性領域と電気的に連絡する、第一のコネクタおよび第二のコネクタと
を含む、装置。
[本発明1004]
第一および第二のコネクタが、電気刺激器を装置に機械的に固定するように構成されている、本発明1001または1003の装置。
[本発明1005]
第一および第二のコネクタがスナップコネクタである、本発明1001または1003の装置。
[本発明1006]
第一の電極部分の下面上および第二の電極部分の下面上に、装置をユーザの皮膚に固定するように構成された接着剤をさらに含む、本発明1001、1002または1003の装置。
[本発明1007]
第一および第二のコネクタが、第一の電極部分の上面から延び、かつ該第一の電極部分に対して偏心的である、本発明1001、1002または1003の装置。
[本発明1008]
前記基材がフレックス回路材料を含む、本発明1003の装置。
[本発明1009]
第一の電極部分がトライアングロイドである、本発明1001、1002または1003の装置。
[本発明1010]
第一の活性領域が第一の電極部分の第一の縁から該第一の電極部分の下面を横切って該第一の電極部分の第二の縁まで延びる、本発明1001、1002または1003の装置。
[本発明1011]
前記接続領域の経路長が第一および第二の電極部分の間に延びるときに曲がっている、本発明1003の装置。
[本発明1012]
前記可撓性の細長い部材がワイヤを含む、本発明1001または1002の装置。
[本発明1013]
前記可撓性の細長い部材が、第一の方向には可撓性であるが、該第一の方向に対して垂直な方向には可撓性ではない平面基材を含む、本発明1001または1002の装置。
[本発明1014]
約4mm未満の厚さを有し、第一および第二のコネクタを除き実質的に平坦である、本発明1003の電極装置。
[本発明1015]
ウェアラブル電気刺激器をユーザの頭部または頭頸部上に支持するための電極装置であって、
上面および下面を有する第一の電極部分と；
上面および下面を有する第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
2インチよりも長い経路長によって該第一および第二の電極部分を接続する接続領域を形成する平面基材であって、面外に撓むことができる、平面基材と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域と電気的に連絡し、かつ第二のコネクタが該第二の活性領域と電気的に連絡する、第一のコネクタおよび第二のコネクタと
を含む、装置。
[本発明1016]
ウェアラブル電気刺激器をユーザの頭部または頭頸部上に支持するための電極装置であって、
上面および下面を有する第一の電極部分と；
上面および下面を有する第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
2インチよりも長い経路長によって該第一および第二の電極部分を接続する接続領域を形成する平面基材であって、厚さ4mm以下であり、かつ面外に撓むことができる、平面基材と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域と電気的に連絡し、かつ基材の該接続領域上の電気トレースを介して第二のコネクタが該第二の活性領域と電気的に連絡する、第一のコネクタおよび第二のコネクタと
を含む、装置。
[本発明1017]
ウェアラブル電気刺激器をユーザの頭部または頭頸部上に支持するための電極装置であって、
平面に延び、面外に撓むことができる基材と；
上面および下面を有する該基材の第一の電極部分と；
上面および下面を有する該基材の第二の電極部分であって、該第一および第二の電極部分が、2インチよりも長い経路長を有する該基材の接続領域によって隔てられている、第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域と電気的に連絡し、かつ基材の該接続領域に沿って延びる電気トレースを介して第二のコネクタが該第二の活性領域と電気的に連絡する、第一のコネクタおよび第二のコネクタと
を含む、装置。
[本発明1018]
第一および第二のコネクタが、電気刺激器を装置に機械的に固定するように構成されている、本発明1015、1016または1017の装置。
[本発明1019]
第一および第二のコネクタがスナップコネクタである、本発明1015、1016または1017の装置。
[本発明1020]
第一の電極部分の下面上および第二の電極部分の下面上に、装置をユーザの皮膚に固定するように構成された接着剤をさらに含む、本発明1015、1016または1017の装置。
[本発明1021]
第一および第二のコネクタが、第一の電極部分の上面から延び、かつ該第一の電極部分に対して偏心的である、本発明1015、1016または1017の装置。
[本発明1022]
基材がフレックス回路材料を含む、本発明1015、1016または1017の装置。
[本発明1023]
第一の電極部分がトライアングロイドである、本発明1015、1016または1017の装置。
[本発明1024]
第一の活性領域が第一の電極部分の第一の縁から該第一の電極部分の下面を横切って該第一の電極部分の第二の縁まで延びる、本発明1015、1016または1017の装置。
[本発明1025]
前記接続領域の経路長が第一および第二の電極部分の間に延びるときに曲がっている、本発明1015、1016または1017の装置。
[本発明1026]
約4mm未満の厚さを有し、第一および第二のコネクタを除き実質的に平坦である、本発明1015、1016または1017の電極装置。
[本発明1027]
ウェアラブル電気刺激器をユーザの頭部または頭頸部上に支持するための電極装置であって、
上面および下面を有する第一の電極部分と；
上面および下面を有する第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
2インチよりも長い経路長によって該第一および第二の電極部分を接続する可撓性の細長い部材と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域と電気的に連絡し、かつ第二のコネクタが該第二の活性領域と電気的に連絡する、第一のコネクタおよび第二のコネクタと；
該第一のコネクタを該第二のコネクタに電気的に接続する容量素子であって、ウェアラブル電気刺激器によって該コネクタの間に印加される電流のための高域フィルタとして働くように構成されている、容量素子と
を含む、装置。
[本発明1028]
ウェアラブル電気刺激器をユーザの頭部または頭頸部上に支持するための電極装置であって、
上面および下面を有する第一の電極部分と；
上面および下面を有する第二の電極部分と；
該第一の電極部分の該下面上の第一の活性領域および該第二の電極部分の該下面上の第二の活性領域であって、ユーザの皮膚にエネルギーを送達するように構成されている、第一および第二の活性領域と；
2インチよりも長い経路長によって該第一および第二の電極部分を接続する可撓性の細長い部材と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域と電気的に連絡し、かつ第二のコネクタが該第二の活性領域と電気的に連絡する、第一のコネクタおよび第二のコネクタと；
該第一のコネクタを該第二のコネクタに電気的に接続する容量素子であって、低い周波数よりも高い周波数でより低いインピーダンスを有して、該コネクタの間に印加される周波数のための高域フィルタとして働くように構成されている、容量素子と
を含む、装置。
[本発明1029]
前記容量素子がコンデンサを含む、本発明1027または1028の装置。
[本発明1030]
前記容量素子が、約1pF〜500pFの値を有するコンデンサを含む、本発明1027または1028の装置。
[本発明1031]
前記容量素子が、約1MHz未満のカットオフ周波数を有する高域フィルタとして働く、本発明1027または1028の装置。
[本発明1032]
前記容量素子がRC回路を含む、本発明1027または1028の装置。
[本発明1033]
平面に延び、面外に撓むことができる平坦な基材をさらに含み、かつ第一の電極部分が該基材の第一の部分で形成され、かつ第二の電極部分が該基材の第二の部分で形成されている、本発明1027または1028の装置。
[本発明1034]
平面に延びる平坦な基材をさらに含み、該基材が、4mm以下である厚さを有しかつ面外に撓むことができ、第一の電極が該基材の第一の部分で形成され、かつ第二の電極部分が該基材の第二の部分で形成されている、本発明1027または1028の装置。
[本発明1035]
平面に延びる平坦な基材をさらに含み、該基材が面外に撓むことができ、かつ第一の電極部分が該基材の第一の部分で形成され、かつ第二の電極部分が該基材の第二の部分で形成され、ここで、容量素子が該基材に結合されている、本発明1027または1028の装置。
[本発明1036]
ウェアラブル電気刺激器をユーザの頭部または頭頸部上に支持するための電極装置であって、
上面および下面を有する第一の電極部分と；
上面および下面を有する第二の電極部分と；
ユーザの皮膚にエネルギーを送達するように構成された、該第一の電極部分の該下面上の第一の活性領域であって、該第一の活性領域は、第一の導電層、該第一の導電層を覆う弱導電層、該弱導電層を覆う導電性犠牲層、および該犠牲層を覆うヒドロゲルを含み、該弱導電層が、該第一の導電層および該犠牲層よりも高い抵抗率を有する、第一の活性領域と；
ユーザの皮膚にエネルギーを送達するように構成された、該第二の電極部分の該下面上の第二の活性領域と；
該第一および第二の電極部分を接続する可撓性部材と；
ウェアラブル電気刺激器に結合するように構成されている第一のコネクタおよび第二のコネクタであって、第一のコネクタが該第一の活性領域と電気的に連絡し、かつ第二のコネクタが該第二の活性領域と電気的に連絡する、第一のコネクタおよび第二のコネクタと
を含む、装置。
[本発明1037]
ウェアラブル電気刺激器をユーザの頭部または頭頸部上に支持するための電極装置であって、
上面および下面を有する第一の電極部分と；
上面および下面を有する第二の電極部分と；
ユーザの皮膚にエネルギーを送達するように構成された、該第一の電極部分の該下面上の第一の活性領域であって、該第一の活性領域は、第一の導電層、該第一の導電層を覆う弱導電層、該弱導電層を覆う導電性犠牲層および該犠牲層を覆うヒドロゲルを含み、該弱導電層が、該第一の導電層および該犠牲層よりも高い抵抗率を有する、第一の活性領域と；
ユーザの皮膚にエネルギーを送達するように構成された、該第二の電極部分の該下面上の第二の活性領域と；
2インチよりも長い経路長によって該第一および第二の電極部分を接続する可撓性の細長い部材と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域と電気的に連絡し、かつ第二のコネクタが該第二の活性領域と電気的に連絡する、第一のコネクタおよび第二のコネクタと
を含む、装置。
[本発明1038]
ウェアラブル電気刺激器をユーザの頭部または頭頸部上に支持するための電極装置であって、
上面および下面を有する第一の電極部分と；
上面および下面を有する第二の電極部分と；
ユーザの皮膚にエネルギーを送達するように構成された、該第一の電極部分の該下面上の第一の活性領域であって、該第一の活性領域は、第一の導電性Ag層、該第一の導電層を覆う炭素を含む弱導電層、該弱導電層を覆うAg/AgClの導電性犠牲層、および該犠牲層を覆うヒドロゲルを含み、該弱導電層が、該第一の導電層および該犠牲層よりも高い抵抗率を有する、第一の活性領域と；
ユーザの皮膚にエネルギーを送達するように構成された、該第二の電極部分の該下面上の第二の活性領域と；
2インチよりも長い経路長によって該第一および第二の電極部分を接続する可撓性の細長い部材と；
ウェアラブル電気刺激器に結合するように構成されている第一のコネクタおよび第二のコネクタであって、該第一および第二のコネクタは、それぞれ該第一の電極部分の該上面から突き出て延び、ここで、第一のコネクタが該第一の活性領域の該Ag層と電気的に連絡し、かつ第二のコネクタが該第二の活性領域と電気的に連絡する、第一のコネクタおよび第二のコネクタと
を含む、装置。
[本発明1039]
第一および第二のコネクタがそれぞれ第一の電極部分の上面から突き出て延びる、本発明1036、1037または1038の装置。
[本発明1040]
第二の活性領域が、第二の導電層、該第二の導電層を覆う第二の弱導電層、該第二の弱導電層を覆う第二の導電性犠牲層、および該第二の犠牲層を覆う第二のヒドロゲルを含み、該第二の弱導電層が、第一の導電層および該犠牲層よりも低い導電率を有する、本発明1036、1037または1038の装置。
[本発明1041]
第一の導電層がAg層を含む、本発明1036または1037の装置。
[本発明1042]
前記弱導電層が炭素を含む、本発明1036または1037の装置。
[本発明1043]
前記導電性犠牲層がAg/AgClを含む、本発明1036または1037の装置。
[本発明1044]
前記弱導電層の抵抗率が第一の導電層の抵抗率の5倍よりも大きい、本発明1026、1037または1038の装置。
[本発明1045]
第一の電極部分および第二の電極部分を有する平面に延びる平坦な基材と、該第一の電極部分中の該基材の背面上の第一の活性領域と、該第二の電極部分中の該基材の背面上の第二の活性領域とで形成されている電極装置であって、該第一および第二の電極部分が、長さ2インチ以上である経路中に延びる該基材の接続領域によって接続されている該電極装置を使用して、電気刺激器をユーザの頭に取り付ける方法であって、
該電極装置の該第一の活性領域をユーザの頭の第一の位置に接着的に固定する工程；
該接続領域を面外に曲げる工程；
カンチレバー式電極装置の該第二の活性領域をユーザの頭の第二の位置に接着的に固定する工程；および
ウェアラブル電気刺激器が該第一の位置でユーザに装着されるように、該ウェアラブル電気刺激器を、該第一の電極部分から突き出て延びる第一および第二のコネクタに結合する工程
を含む、方法。
[本発明1046]
第一の活性領域を接着的に固定する工程が、該第一の活性領域をユーザの側頭に接着的に固定する工程を含む、本発明1045の方法。
[本発明1047]
第二の活性領域を接着的に固定する工程が、該第二の活性領域をユーザの首またはユーザの耳の後の皮膚に接着的に固定する工程を含む、本発明1045の方法。
[本発明1048]
ウェアラブル電気刺激器を結合する工程が、該ウェアラブル電気刺激器を第一の電極部分にカンチレバー式取り付けで固定する工程を含む、本発明1045の方法。
[本発明1049]
ウェアラブル電気刺激器を、第一の電極部分から突き出て延びる第一および第二のコネクタに結合する工程が、該ウェアラブル電気刺激器を第一および第二のコネクタにスナップ嵌めする工程を含み、該第一および第二のコネクタが互いに約0.7〜0.8インチ離間している、本発明1045の方法。
[本発明1050]
ウェアラブル電気刺激器を第一および第二のコネクタに結合する工程が、該ウェアラブル電気刺激器を第一および第二のコネクタにスナップ嵌めする工程を含む、本発明1045の方法。
[本発明1051]
ウェアラブル電気刺激器を結合する工程が、該ウェアラブル電気刺激器がウェアラブル電気機器の第一の背面領域で第一の電極部分に固定され、一方で、該ウェアラブル電気機器の第二の背面領域が固定されず該第一の電極部分に対して自由に動くように、該ウェアラブル電気刺激器を第一の電極部分にカンチレバー式取り付けで固定する工程を含む、本発明1045の方法。
[本発明1052]
第一の活性領域を接着的に固定する工程が、第一の活性領域上のヒドロゲルを第一の位置でユーザの頭に付着させる工程を含む、本発明1045の方法。
[本発明1053]
ウェアラブル電気刺激器を結合する工程が、該ウェアラブル電気刺激器の下面側を第一および第二のコネクタに接続して、該ウェアラブル電気刺激器と第一および第二の活性領域との電気的接触を形成する工程を含む、本発明1045の方法。
[本発明1054]
第一の電極部分および第二の電極部分を有する平面に延びる平坦な基材と、該第一の電極部分中の該基材の背面上の第一の活性領域と、該第二の電極部分中の該基材の背面上の第二の活性領域とで形成される電極装置であって、該第一および第二の電極部分が隔たっており、かつ長さ2インチ以上である経路中に延びる該基材の接続領域によって接続されている該電極装置を使用して、電気刺激器をユーザの頭に取り付ける方法であって、
カンチレバー式電極装置の該第一の活性領域をユーザの頭の第一の位置に接着的に固定する工程；
該接続領域を面外に曲げる工程；
該カンチレバー式電極装置の該第二の活性領域をユーザの頭の第二の位置に接着的に固定する工程；および
ウェアラブル電気刺激器が、該第一の電極部分からカンチレバー式に支持され、かつウェアラブル電気機器の第一の背面領域で該第一の電極部分に固定され、一方で、該ウェアラブル電気機器の第二の背面領域が固定されず該第一の電極部分に対して自由に動くように、該ウェアラブル電気刺激器の背面を、該第一の電極部分からいずれも突き出て延びる第一のコネクタおよび第二のコネクタに結合する工程
を含む、方法。
[本発明1055]
第一の活性領域を接着的に固定する工程が、該第一の活性領域をユーザの側頭に接着的に固定する工程を含む、本発明1054の方法。
[本発明1056]
第二の活性領域を接着的に固定する工程が、該第二の活性領域をユーザの首またはユーザの耳の後の皮膚に接着的に固定する工程を含む、本発明1054の方法。
[本発明1057]
ウェアラブル電気刺激器の背面を第一および第二のコネクタに結合する工程が、該ウェアラブル電気刺激器を該第一および第二のコネクタにスナップ嵌めする工程を含み、該第一および第二のコネクタが互いに約0.7〜0.8インチ離間している、本発明1054の方法。
[本発明1058]
ウェアラブル電気刺激器の背面を第一および第二のコネクタに結合する工程が、該ウェアラブル電気刺激器を第一および第二のコネクタにスナップ嵌めする工程を含む、本発明1054の方法。
[本発明1059]
ウェアラブル電気刺激器の背面を結合する工程が、第一および第二のコネクタを介して該ウェアラブル電気刺激器と第一および第二の活性領域との間の電気的接触を形成する工程をさらに含む、本発明1054の方法。
[本発明1060]
ウェアラブル電気刺激器からの電気刺激を第一の活性領域と第二の活性領域との間に印加する工程をさらに含む、本発明1054の方法。
[本発明1061]
第一の電極部分および第二の電極部分を有する平面に延びる平坦な基材と、該第一の電極部分中の該基材の背面上の第一の活性領域と、該第二の電極部分中の該基材の背面上の第二の活性領域とで形成される電極装置であって、該第一および第二の電極部分が、長さ2インチ以上である経路中に延びる該基材の接続領域によって接続されている該電極装置を使用して、電気刺激器をユーザの頭に取り付ける方法であって、
該電極装置の該第一の活性領域をユーザの頭の第一の位置に接着的に固定する工程；
該接続領域を面外に曲げる工程；
カンチレバー式電極装置の該第二の活性領域をユーザの頭の第二の位置に接着的に固定する工程；および
ウェアラブル電気刺激器が、該第一の電極部分からカンチレバー式に支持され、かつウェアラブル電気機器の第一の背面領域で該第一の電極部分に固定され、一方で、該ウェアラブル電気機器の第二の背面領域が固定されず該第一の電極部分に対して自由に動くように、該ウェアラブル電気刺激器を、該第一の電極部分から突き出て延びる電気的かつ機械的コネクタに結合する工程
を含む、方法。
[本発明1062]
第一の活性領域を接着的に固定する工程が、該第一の活性領域をユーザの側頭に接着的に固定する工程を含む、本発明1061の方法。
[本発明1063]
第二の活性領域を接着的に固定する工程が、該第二の活性領域をユーザの首またはユーザの耳の後の皮膚に接着的に固定する工程を含む、本発明1061の方法。
[本発明1064]
ウェアラブル電気刺激器を電気的かつ機械的コネクタに結合する工程が、該ウェアラブル電気刺激器を該機械的かつ電気的コネクタにスナップ嵌めする工程を含む、本発明1061の方法。
[本発明1065]
ウェアラブル電気刺激器をユーザの頭部または頭頸部上に支持するためのカンチレバー式電極装置であって、
背面側とは反対側の前面側を有する可撓性ボディと；
該ボディの第一の端部領域の第一の電極部分と；
ユーザの皮膚にエネルギーを送達するように構成されている、該第一の電極部分の背面側の第一の活性領域と；
該第一の電極部分の前面側から突き出て延び、該第一の活性領域と電気的に連絡する第一のコネクタと；
該第一の電極部分の前面側から突き出て延びる第二のコネクタと；
該第一の電極部分から少なくとも2インチ離間している、該ボディの第二の端部領域の第二の電極部分と；
該第二のコネクタと電気的に連絡し、かつユーザの皮膚にエネルギーを送達するように構成されている、第二の電極部分の背面側の第二の活性領域と
を含み、該第一および第二のコネクタが、該装置を該電気刺激器に電気的に接続するように構成されている、装置。
[本発明1066]
ウェアラブル電気刺激器をユーザの頭部または頭頸部上に支持するためのカンチレバー式電極装置であって、
前面側および背面側を有する第一の電極部分と；
ユーザの皮膚にエネルギーを送達するように構成されている、背面側の第一の活性領域と；
前面側から突き出て延び、該第一の活性領域と電気的に連絡する第一のコネクタと；
前面側から突き出て延びる第二のコネクタであって、該第一および第二のコネクタが中心間で約0.7〜約0.8インチ離間している、第二のコネクタと；
該第一の電極部分と第二の電極部分との間を少なくとも2インチ延びている細長いボディ領域によって、該第一の電極部分から隔てられている第二の電極部分と；
該第二のコネクタと電気的に連絡し、ユーザの皮膚にエネルギーを送達するように構成されている、第二の電極部分の前面側の第二の活性領域と
を含む、装置。
[本発明1067]
ウェアラブル電気刺激器をユーザの頭部または頭頸部上に支持するためのカンチレバー式電極装置であって、
平面に延びかつ前面側および背面側を有する平坦な基材であって、面外に撓むことができる基材と；
長さ2インチ以上である経路に延びる該基材の接続領域によって隔てられている、該基材の第一の電極部分および該基材の第二の電極部分と；
ユーザの皮膚にエネルギーを送達するように構成されている、該第一の電極部分の背面側の第一の活性領域および該第二の電極部分の背面側の第二の活性領域と； 
それぞれ該第一の電極部分の前面側から突き出て延びる第一および第二のコネクタであって、第一のコネクタが該第一の活性領域と電気的に連絡し、かつ第一および第二のコネクタが約0.7〜約0.8インチ離間している、第一および第二のコネクタと
を含み、該第一および第二のコネクタが、該装置を該電気刺激器に電気的に接続するように構成されている、装置。
[本発明1068]
ウェアラブル電気刺激器をユーザの頭部または頭頸部上に支持するためのカンチレバー式電極装置であって、
平面に延びかつ前面側および背面側を有する平坦な基材であって、面外に撓むことができ、かつ4mm以下の厚さを有する、基材と；
長さ2インチ以上である曲げ経路に延びる該基材の接続領域によって隔てられている、該基材の第一の電極部分および該基材の第二の電極部分と；
ユーザの皮膚にエネルギーを送達するように構成されている、該第一の電極部分の背面側の第一の活性領域および該第二の電極部分の背面側の第二の活性領域と； 
それぞれ該第一の電極部分の前面側から突き出て延びる第一のコネクタおよび第二のコネクタであって、第一のコネクタが該第一の活性領域と電気的に連絡し、かつ第二のコネクタが該第二の活性領域と電気的に連絡し、第一および第二のコネクタが約0.7〜約0.8インチ離間している、第一および第二のコネクタと
を含み、該第一および第二のコネクタが、該第一の電極部分の一つの側に偏心的に配置され、かつ該装置を該電気刺激器に機械的かつ電気的に接続するように構成されている、装置。